【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
ポリアミドをセピオライト粒子と溶融混合する工程を含む、ポリアミドナノ複合材料の製造方法であって、前記溶融混合前の前記粒子が１０〜３０ｎｍ幅および５〜１０ｎｍ厚さであり、そして前記粒子が未変性であることを特徴とする方法。
【請求項２】
前記粒子が、前記ナノ複合材料の０．１〜３０重量パーセントであり、前記百分率が、存在する前記ポリアミドおよび前記セピオライト粒子の総重量を基準とすることを特徴とする請求項１に記載の方法。
【請求項３】
前記粒子が、前記ナノ複合材料の０．１〜３０重量パーセントであり、前記百分率が、存在する前記ポリアミドおよび前記セピオライト粒子の総重量を基準とすることを特徴とする請求項１に記載の方法。
【請求項４】
前記ポリアミドが、半芳香族または脂肪族ポリアミドであることを特徴とする請求項１に記載の方法。
【請求項５】
前記ポリアミドが、ポリテトラメチレンアジパミド、ポリヘキサメチレンアジパミド、ポリヘキサメチレンアゼラアミド、ポリヘキサメチレンセバカミド、ポリヘキサメチレンドデカノアミド、ビス（パラ−アミノシクロヘキシル）メタンドデカノアミド、ポリカプロラクタム、ポリ−１１−アミノ−ウンデカン酸、上記ポリマーの２種もしくはそれらの成分のコポリマー、および上記ポリマーの３種もしくはそれらの成分のターポリマーから選択されるか、またはポリアミドがポリ（ｍ−キシリレンアジパミド）、ヘキサメチレンアジパミド／ヘキサメチレンテレフタルアミド・コポリアミド；ヘキサメチレンテレフタルアミド／２−メチルペンタメチレンテレフタルアミド・コポリアミド；ポリ（ドデカメチレンテレフタルアミド）；ポリ（デカメチレンテレフタルアミド）；デカメチレンテレフタルアミド／デカメチレンドデカノアミド・コポリアミド；ポリ（ノナメチレンテレフタルアミド）；ヘキサメチレンイソフタルアミドおよびヘキサメチレンアジパミドのポリアミド；ヘキサメチレンテレフタルアミド、ヘキサメチレンイソフタルアミド、およびヘキサメチレンアジパミドのポリアミド；ならびにこれらのポリマーのコポリマーまたは混合物から選択されることを特徴とする請求項４に記載の方法。
【請求項６】
全ナノ複合材料を基準として約２〜約３０重量％で存在するポリマー強化剤をさらに含むことを特徴とする請求項１に記載の方法。
【請求項７】
ポリマー強化剤が、式ＲＣＨ＝ＣＨ２（式中、ＲはＨまたは１〜８個の炭素原子を有するアルキルである）を有するアルファ−オレフィンに由来する単位と、アルファ，ベータ−エチレン系不飽和モノ−またはジカルボン酸に由来する０．２〜２５モルパーセントの単位とのアイオノマーであって、前記単位の酸基の少なくとも１０％が両端を含めて１〜３の範囲の原子価を有する金属イオンで中和されているアイオノマーであることを特徴とする請求項６に記載の方法。
【請求項８】
全ナノ複合材料を基準として約０．１〜約５０重量パーセントの補強剤をさらに含み、該補強剤が、セピオライト型粘土を除き、カオリン粘土、タルク、ウォラストナイト、雲母、および炭酸カルシウム；ガラス；カーボンブラックまたは炭素繊維；二酸化チタン；短繊維、フィブリルまたはフィブリドの形態でのアラミド；ならびにこれらの２種以上の混合物から選択されることを特徴とする請求項１に記載の方法。
【請求項９】
ａ．０．１〜４重量％のセピオライト粒子と、
ｂ．ポリアミド６，６；ポリアミド６；テレフタル酸、ヘキサメチレンジアミン、および２−メチルペンタメチレンジアミンのコポリアミド；テレフタル酸、アジピン酸、およびヘキサメチレンジアミンから製造されたコポリアミドから選択された少なくとも１種のポリアミドと、
ｃ．０〜約２０重量％のポリマー強化剤であって、
ｉ．無水マレイン酸でグラフトされたエチレン／プロピレン／ヘキサジエン共重合体、および
ｉｉ．金属イオンで少なくとも１０％中和されているエチレンとアクリル酸またはメタクリル酸との共重合体の少なくとも１種を含む０〜約２０重量％のポリマー強化剤と、
を含むことを特徴とする請求項１に記載の方法。
【請求項１０】
前記溶融混合後に溶融物中の前記ポリアミドナノ粒子を剪断する工程をさらに含むことを特徴とする請求項１に記載の方法。
【手続補正２】
【補正対象書類名】明細書
【補正対象項目名】０１０９
【補正方法】変更
【補正の内容】
【０１０９】
【表１】
2010512422.tif 000001
以下に本明細書に記載される主な発明を列記する。
１．
ａ．少なくとも１種の熱可塑性ポリアミドと、
ｂ．粒子の幅および厚さがそれぞれ５０ｎｍ未満である未変性セピオライト型粘土ナノ粒子と、
を含むことを特徴とするナノ複合材料組成物。
２．
前記ナノ粒子がポリアミドとナノ粒子を合わせた重量を基準として、約０．１〜約３０重量パーセントで存在することを特徴とする前記１．に記載の組成物。
３．
前記未変性セピオライト型粘土がポリアミドと未変性セピオライト型粘土を合わせた重量を基準として、約０．１〜約４重量パーセントで存在することを特徴とする前記２．に記載の組成物。
４．
前記セピオライト型粘土ナノ粒子がレオロジー添加剤グレードであることを特徴とする前記１．に記載の組成物。
５．
前記少なくとも１種のポリアミドが脂肪族ポリアミドまたは半芳香族ポリアミドであることを特徴とする前記１．に記載の組成物。
６．
前記脂肪族ポリアミドがポリテトラメチレンアジパミド、ポリヘキサメチレンアジパミド、ポリヘキサメチレンアゼラアミド、ポリヘキサメチレンセバカミド、ポリヘキサメチレンドデカノアミド、ビス（パラ−アミノシクロヘキシル）メタンドデカノアミド、ポリカプロラクタム、ポリ−１１−アミノ−ウンデカン酸、上記ポリマーもしくはそれらの成分の２種からなるコポリマー、および／または上記ポリマーもしくはそれらの成分の３種からなるターポリマーから選択されることを特徴とする前記５．に記載の組成物。
７．
前記半芳香族ポリアミドが、二価芳香族基を含有するモノマーに一部由来する、１種または複数種のホモポリマー、コポリマー、ターポリマー、およびより多元系のポリマー、ならびに１種または複数種の脂肪族ポリアミドと、二価芳香族基を含有するモノマーに一部由来する、１種または複数種のホモポリマー、コポリマー、ターポリマー、またはより多元系のポリマーとのブレンドから選択されることを特徴とする前記５．に記載の組成物。
８．
前記半芳香族ポリアミドが、ポリ（ｍ−キシリレンアジパミド）、ヘキサメチレンアジパミド／ヘキサメチレンテレフタルアミド・コポリアミド；ヘキサメチレンテレフタルアミド／２−メチルペンタメチレンテレフタルアミド・コポリアミド；ポリ（ドデカメチレンテレフタルアミド）；ポリ（デカメチレンテレフタルアミド）；デカメチレンテレフタルアミド／デカメチレンドデカノアミド・コポリアミド；ポリ（ノナメチレンテレフタルアミド）；ヘキサメチレンイソフタルアミドおよびヘキサメチレンアジパミドのポリアミド；ヘキサメチレンテレフタルアミド、ヘキサメチレンイソフタルアミド、およびヘキサメチレンアジパミドのポリアミド；ならびにこれらのポリマーのコポリマーまたは混合物から選択されることを特徴とする前記５．に記載の組成物。
９．
全組成物を基準として約２〜約３０重量％で存在するポリマー強化剤をさらに含むことを特徴とする前記１．に記載の組成物。
１０．
前記ポリマー強化剤がカルボキシル基、無水物基、アミン基、エポキシ基、ハロゲン基、およびこれらの混合物から選択された官能基を含有することを特徴とする前記９．に記載の組成物。
１１．
前記ポリマー強化剤が、式ＲＣＨ＝ＣＨ2（式中、ＲはＨまたは１〜８個の炭素原子を有するアルキルである）を有するアルファ−オレフィンに由来する単位と、アルファ，ベータ−エチレン系不飽和モノ−またはジカルボン酸に由来する０．２〜２５モルパーセントの単位とのアイオノマーであって、前記単位の酸基の少なくとも１０％が両端を含めて１〜３の範囲の原子価を有する金属イオンで中和されているアイオノマーであることを特徴とする前記９．に記載の組成物。
１２．
組成物中の全原料の合計を基準として、約０．１〜約５０重量パーセントの補強剤をさらに含み、該補強剤は、セピオライト型粘土を除き、カオリン粘土、タルク、ウォラストナイト、雲母、および炭酸カルシウム；繊維、粉砕ガラス、非中空または中空の球などの様々な形態のガラス；カーボンブラックまたは炭素繊維としてのカーボン；二酸化チタン；短繊維、フィブリルまたはフィブリドの形態のアラミド；ならびにこれらの２種以上の混合物から選択されることを特徴とする前記１．に記載の組成物。
１３．
ａ．約０．１〜４重量％の未変性セピオライト型粘土ナノ粒子と、
ｂ．ポリアミド６，６；ポリアミド６；テレフタル酸、ヘキサメチレンジアミン、および２−メチル−ペンタメチレンジアミンのコポリアミド；テレフタル酸、アジピン酸、およびヘキサメチレンジアミンから製造されたコポリアミドから選択された少なくとも１種のポリアミドと、
ｃ．０〜約２０重量％のポリマー強化剤であって、
ｉ．無水マレイン酸でグラフトされたエチレン／プロピレン／ヘキサジエン共重合体、および
ｉｉ．金属イオンで少なくとも１０％中和されているエチレンとアクリル酸またはメタクリル酸との共重合体、
の少なくとも１種を含むポリマー強化剤と、
を含むことを特徴とする前記１．に記載のナノ複合材料組成物。
１４．
前記１．に記載の組成物を含むことを特徴とする製品。
１５．
自動車構成部品であることを特徴とする前記１４．に記載の物品。
１６．
前記自動車構成部品がラジエータエンド・タンク、吸気マニホールド、空気取入共振器、フロントエンド・モジュール、エンジン冷却水出口、燃料レール、点火コイル、エンジンカバー、スイッチ、ハンドル、シートベルト構成部品、エアバッグ容器、ペダル、ペダルボックス、シートシステム、ホイールカバー、サンルーフ囲み、ドアの取っ手、および燃料給油口フラップから選択されることを特徴とする前記１５．に記載の物品。
１７．
コネクタ、巻型、モーター電機子絶縁体、ライトハウジング、プラグ、スイッチ、スイッチギア、ハウジング、リレー、回路遮断器構成部品、端子板、プリント回路基板、および電子装置用のハウジングから選択されることを特徴とする前記１５．に記載の物品。
１８．
電動工具ハウジング、スポーツ用品、ライター、台所用品、電話用ジャック、小型電化製品、大型電化製品、家具、眼鏡フレーム、包装フィルム、ギア、滑車、ベアリング、ベアリングケージ、バルブ、競技場用座席座部、コンベヤ用のスライドレール、キャスター、ＨＶＡＣボイラーマニホールド、転換バルブ、およびポンプハウジングから選択されることを特徴とする前記１５．に記載の物品。
１９．
前記スポーツ用品がスキーブーツ、スキービンディング、アイススケート、ローラースケート、およびテニスラケットから選択されることを特徴とする前記１８．に記載の物品。